(57)【要約】【課題】接合片の操作性が良好な使い捨て吸収性物品を提供することを目的とする。【解決手段】使い捨て吸収性物品は、吸収性物品体12における、背側腰回り部の一方の面状ファスナ部23と腹側腰回り部の他方の面状ファスナ部とを係合することでパンツ形状になる。この吸収性物品体12の背側腰回り部の両側部それぞれに一方の面状ファスナ部23と間隔保持片24とを有する接合片25を設ける。この接合片25は、基部27と折り返し可能な延出部28と摘み部29とを順次一体に備え、延出部28が折り返し状態で、一方の面状ファスナ部23より先端縁側の摘み部29の内面側に間隔保持片24を配設ける。間隔保持片24によって、基部27と摘み部29との間に間隔を設けることができるので、摘み部29が摘み易く、接合片25の操作性が良好である。【選択図】図１
2008253680.tif 000002
【特許請求の範囲】
【請求項１】
内面側に位置する表面シートと、
外面側に位置する裏面シートと、
表面シートと裏面シートとの間に吸収体を有し、長手方向に沿って背側腰回り部、股下回り部、腹側腰回り部が順次一体的に形成された吸収性物品体と、
一方の面状ファスナ部と間隔保持片とを有し、前記背側腰回り部の両側部にそれぞれ設けられた接合片と、
前記一方の面状ファスナ部と係脱自在であり、前記腹側腰回り部に配設された他方の面状ファスナ部と
を備え、
前記一方の面状ファスナ部と前記他方の面状ファスナ部とを係合させることによりパンツ形状となる使い捨て吸収性物品であって、
前記接合片は、
少なくとも一部が前記表面シートと前記裏面シートとの間に接合される基部と、
前記吸収性物品体の幅方向において、前記基部の外側部に位置し、内側へ向かって折り返し可能に形成される延出部と、
この延出部の先端縁側でかつこの延出部が折り返し状態で、前記基部と対向する位置に形成された摘み部と
が設けられ、
前記一方の面状ファスナ部は、
前記延出部が折り返し状態で、この延出部の内面側に配設され、前記基部上の対向する位置にて仮止め可能であり、
前記間隔保持片は、
前記延出部が折り返し状態で、前記一方の面状ファスナ部より先端縁側の前記摘み部の内面側に配設された
ことを特徴とする使い捨て吸収性物品。
【請求項２】
内面側に位置する表面シートと、
外面側に位置する裏面シートと、
表面シートと裏面シートとの間に吸収体を有し、長手方向に沿って背側腰回り部、股下回り部、腹側腰回り部が順次一体的に形成された吸収性物品体と、
一方の面状ファスナ部と間隔保持片とを有し、前記背側腰回り部の両側にそれぞれ設けられた接合片と、
前記一方の面状ファスナ部と係脱自在であり、前記腹側腰回り部に配設された他方の面状ファスナ部と
を備え、
前記一方の面状ファスナ部と前記他方の面状ファスナ部とを係合させることによりパンツ形状となる使い捨て吸収性物品であって、
前記前記接合片は、
前記表面シートと前記裏面シートとの間に接合される基部と、
前記吸収性物品体の幅方向において、前記基部の外側部に位置し、内側へ向かって折り返し可能に形成される延出部と、
この延出部の先端縁側でかつこの延出部が折り返し状態で、前記表面シートと対向する位置に形成された摘み部と、
が設けられ、
前記一方の面状ファスナ部は、
前記延出部が折り返し状態で、この延出部の内面側に配設され、表面シート上の対向する位置にて仮止め可能であり、
前記間隔保持片は、
前記延出部が折り返し状態で、前記一方の面状ファスナ部より先端縁側の前記摘み部の内面側に配設された
ことを特徴とする使い捨て吸収性物品。
【請求項３】
間隔保持片は、
断面方向における高さが、表面シートおよび一方の面状ファスナ部の高さより高く形成された
ことを特徴とする請求項１または２記載の使い捨て吸収性物品。
【請求項４】
間隔保持片は、一方の面状ファスナ部と摘み部の先端縁との間に配設され、
前記摘み部の先端縁には、前記間隔保持片が配設されていない先端部が形成された
ことを特徴とする請求項１ないし３のいずれか記載の使い捨て吸収性物品。
【請求項５】
間隔保持片と一方の面状ファスナ部とは離間して配設され、
前記間隔保持片と前記一方の面状ファスナ部との間の離間部には折曲部が形成された
ことを特徴とする請求項１ないし４のいずれか記載の使い捨て吸収性物品。
【請求項６】
間隔保持片は、一方の面状ファスナ部および他方の面状ファスナ部とは係合しないように形成された
ことを特徴とする請求項１ないし５のいずれか記載の使い捨て吸収性物品。
【請求項７】
延出部が折り返し状態および他方の面状ファスナ部と係合状態で、摘み部の断面方向の高さは、間隔保持片によって一方の面状ファスナ部から前記摘み部の先端縁に向かって高くなるように形成された
ことを特徴とする請求項１ないし６のいずれか記載の使い捨て吸収性物品。
【請求項８】
間隔保持片と一方の面状ファスナ部とは離間して配設され、この離間部の一部は、延出部が折り返し状態で、対向する基部または表面シートに仮接合された
ことを特徴とする請求項１ないし７のいずれか記載の使い捨て吸収性物品。
【発明の詳細な説明】
【技術分野】
【０００１】
本発明は、大人用、あるいは失禁用の使い捨て吸収性物品に関するものである。
【背景技術】
【０００２】
従来、この種の使い捨て吸収性物品は、透液性表面シート、不透液性裏面シートおよびこれら両シートの間に配設された吸収体を有する略四角形状の吸収性物品体を備えている。この吸収性物品体には、後側である背側腰回り部、両側脚回り部、および前側である腹側腰回り部が長手方向に順次一体的に形成されている。
【０００３】
また、この吸収性物品体の背側腰回り部の両側部には面状ファスナのフック面部を有する接合片がそれぞれ設けられ、前記腹側腰回り部には面状ファスナのループ面部が設けられ、前記フック面部と前記ループ面部とを係合し、前記背側腰回り部および前記腹側腰回り部の両側を接合することにより、一つの腰回り開口部と、一対の脚回り開口部とを有するパンツ形状に形成される。
【０００４】
このような使い捨て吸収性物品の接合片のフック面部における先端縁に、この接合片の操作性を向上させるための摘み部を設け、さらにこの摘み部を前記ループ面部のように前記フック面部と係合可能にすることで、装着時以外は、前記摘み部を前記フック面部に仮止めすることができる。
【０００５】
そして、前記フック面部に前記摘み部および前記ループ面部とは係合しない不係合部を設けることで、この不係合部と前記摘み部および前記ループ面部とは係合しないので、前記フック面部と前記摘み部および前記ループ面部との全面が係合せず、前記フック面部と前記摘み部およびループ面部とを引き剥がし易くでき、前記接合片の操作性を向上させたものが知られている（例えば、特許文献１参照。）。
【特許文献１】特開２００５−３１９１３９号公報（第２−５頁、図１）
【発明の開示】
【発明が解決しようとする課題】
【０００６】
しかしながら上述した使い捨て吸収性物品では、フック面部と摘み部およびループ面部とを係合させる際に、前記不係合部と前記摘み部および前記ループ面部とは係合しないが、前記不係合部以外のフック面部と前記摘み部および前記ループ面部とが係合するので、前記摘み部全体は前記フック面部に張り付くように位置し、前記摘み部が摘み難く、接合片の操作性が良好ではない。
【０００７】
本発明は、このような点に鑑みなされたもので、接合片の操作性が良好な使い捨て吸収性物品を提供することを目的とする。
【課題を解決するための手段】
【０００８】
請求項１に記載された発明は、内面側に位置する表面シートと、外面側に位置する裏面シートと、表面シートと裏面シートとの間に吸収体を有し、長手方向に沿って背側腰回り部、股下回り部、腹側腰回り部が順次一体的に形成された吸収性物品体と、一方の面状ファスナ部と間隔保持片とを有し、前記背側腰回り部の両側部にそれぞれ設けられた接合片と、前記一方の面状ファスナ部と係脱自在であり、前記腹側腰回り部に配設された他方の面状ファスナ部とを備え、前記一方の面状ファスナ部と前記他方の面状ファスナ部とを係合させることによりパンツ形状となる使い捨て吸収性物品であって、前記接合片は、少なくとも一部が前記表面シートと前記裏面シートとの間に接合される基部と、前記吸収性物品体の幅方向において、前記基部の外側部に位置し、内側へ向かって折り返し可能に形成される延出部と、この延出部の先端縁側でかつこの延出部が折り返し状態で、前記基部と対向する位置に形成された摘み部とが設けられ、前記一方の面状ファスナ部は、前記延出部が折り返し状態で、この延出部の内面側に配設され、前記基部上の対向する位置にて仮止め可能であり、前記間隔保持片は、前記延出部が折り返し状態で、前記一方の面状ファスナ部より先端縁側の前記摘み部の内面側に配設された使い捨て吸収性物品である。
【０００９】
請求項２に記載された発明は、内面側に位置する表面シートと、外面側に位置する裏面シートと、表面シートと裏面シートとの間に吸収体を有し、長手方向に沿って背側腰回り部、股下回り部、腹側腰回り部が順次一体的に形成された吸収性物品体と、一方の面状ファスナ部と間隔保持片とを有し、前記背側腰回り部の両側部にそれぞれ設けられた接合片と、前記一方の面状ファスナ部と係脱自在であり、前記腹側腰回り部に配設された他方の面状ファスナ部とを備え、前記一方の面状ファスナ部と前記他方の面状ファスナ部とを係合させることによりパンツ形状となる使い捨て吸収性物品であって、前記接合片は、前記表面シートと前記裏面シートとの間に接合される基部と、前記吸収性物品体の幅方向において、前記基部の外側部に位置し、内側へ向かって折り返し可能に形成される延出部と、この延出部の先端縁側でかつこの延出部が折り返し状態で、前記表面シートと対向する位置に形成された摘み部とが設けられ、前記一方の面状ファスナ部は、前記延出部が折り返し状態で、この延出部の内面側に配設され、表面シート上の対向する位置にて仮止め可能であり、前記間隔保持片は、前記延出部が折り返し状態で、前記一方の面状ファスナ部より先端縁側の前記摘み部の内面側に配設された使い捨て吸収性物品である。
【００１０】
請求項３に記載された発明は、請求項１または２に記載された使い捨て吸収性物品において、間隔保持片は、断面方向における高さが、表面シートおよび一方の面状ファスナ部の高さより高く形成されたものである。
【００１１】
請求項４に記載された発明は、請求項１ないし３のいずれかに記載された使い捨て吸収性物品において、間隔保持片は一方の面状ファスナ部と摘み部の先端縁との間に配設され、前記摘み部の先端縁には、前記間隔保持片が配設されていない先端部が形成されたものである。
【００１２】
請求項５に記載された発明は、請求項１ないし４のいずれかに記載された使い捨て吸収性物品において、間隔保持片と一方の面状ファスナ部とは離間して配設され、前記間隔保持片と前記一方の面状ファスナ部との間の離間部には折曲部が形成されたものである。
【００１３】
請求項６に記載された発明は、請求項１ないし５のいずれかに記載された使い捨て吸収性物品において、間隔保持片は、一方の面状ファスナ部および他方の面状ファスナ部とは係合しないように形成されたものである。
【００１４】
請求項７に記載された発明は、請求項１ないし６のいずれかに記載された使い捨て吸収性物品において、延出部が折り返し状態および他方の面状ファスナ部と係合状態で、摘み部の断面方向の高さは、間隔保持片によって一方の面状ファスナ部から前記摘み部の先端縁に向かって高くなるように形成されたものである。
【００１５】
請求項８に記載された発明は、請求項１ないし７のいずれかに記載された使い捨て吸収性物品において、間隔保持片と一方の面状ファスナ部とは離間して配設され、この離間部の一部は、延出部が折り返し状態で、対向する基部または表面シートに仮接合されたものである。
【発明の効果】
【００１６】
請求項１に記載された発明によれば、接合片において、延出部が折り返し状態で、この延出部の内面側に配設された一方の面状ファスナ部より先端縁側の摘み部の内面側に間隔保持片が配設されたことで、前記延出部が、折り返し状態または他方の面状ファスナ部と係合状態で、前記摘み部と基部および前記他方の面状ファスナ部との間に間隔を設けることができ、この摘み部が摘み易くなるので、接合片の操作性を向上できる。
【００１７】
請求項２に記載された発明によれば、基部全体が表面シートと裏面シートとの間に接合されることで、吸収性物品体と接合片とを強固に接合できる。
【００１８】
また、一方の面状ファスナ部が、前記表面シート上で仮止めすることができるので、摘み部が摘み易く、前記接合部の操作性を向上できる。
【００１９】
請求項３に記載された発明によれば、間隔保持片の断面方向の高さが、表面シートおよび一方の面状ファスナ部の断面方向の高さより高いことで、延出部が折り返し状態および他方の面状ファスナ部と係合状態で、摘み部の断面方向の高さを前記表面シートおよび前記一方の面状ファスナ部の高さより高く保持できるので、摘み部と前記表面シートおよび基部との間に、確実に摘み部を摘める間隔を設けることができるので、接合片の操作性をより向上できる。
【００２０】
請求項４に記載された発明によれば、摘み部の先端縁に先端部が形成されたことで、延出部が折り返し状態および他方の面状ファスナと係合状態で、前記摘み部を確実に摘むことができ、接合片の操作性をより向上できる。
【００２１】
請求項５に記載された発明によれば、間隔保持片と一方の面状ファスナ部との間の離間部に折曲部が形成されたことで、延出部が折り返し状態および他方の面状ファスナ部と係合状態で、前記折曲部が折れ曲り、前記間隔保持片の間隔保持効果を向上させ、前記摘み部が基部および表面シートに張り付くような状態になるのを防止できるので、接合片の操作性の悪化を防止できる。
【００２２】
請求項６に記載された発明によれば、間隔保持片は、一方の面状ファスナ部および他方の面状ファスナ部と係合しないように形成されたことで、前記間隔保持片と一方の面状ファスナ部および他方の面状ファスナ部との係合により、摘み部が摘み難くなるのを防止できるので、接合片の操作性の悪化を防止できる。
【００２３】
請求項７に記載された発明によれば、摘み部の断面方向の高さが一方の面状ファスナ部から前記摘み部の先端縁に向かって高くなることで、摘み部がより摘み易く、接合片の操作性をより向上できる。
【００２４】
請求項８に記載された発明によれば、間隔保持片と一方の面状ファスナ部との離間部の一部が基部または表面シートと仮接合されているので、使い捨て吸収性物品の装着前において、確実に延出部の折り返し状態が維持でき、間隔保持片により摘み部が摘み易い状態を維持できるので、接合片の操作性を向上できる。
【発明を実施するための最良の形態】
【００２５】
以下、本発明の第１の実施の形態について、図１ないし図６を参照しながら詳細に説明する。
【００２６】
図２に示されるように、使い捨て吸収性物品11は、例えば使い捨て紙おむつであり、吸収性物品体12を備えている。この吸収性物品体12は、展開状態からパンツ形状にすることで、例えば病人、失禁者などの装着者の背部側から腹部側に身体に沿って装着するものである。そして、この吸収性物品体12は、内面側に位置する表面シート13、外面側に位置する裏面シート14、これら表面シート13と裏面シート14との間に配設された液吸収性を有する吸収体15にて層状に形成されている。
【００２７】
また、表面シート13は、透液性を有する透液性シート16と、この透液性シート16の両側にそれぞれ設けられた不透液性を有する不透液シート17により形成され、この不透液シート17と図示しない弾性体により立体ギャザ部が形成されている。
【００２８】
そして、この表面シート13と裏面シート14とは、周縁部が例えば接着剤などで接合されて吸収体15が封着されて、これら表面シート13、裏面シート14、および吸収体15は、吸収性物品体12の長手方向に略沿って略四角形状に順次形成されている。
【００２９】
ここで、表面シート13における透液性シート16は、例えば織布、不織布、多孔性フィルム、あるいは合成繊維などの透液性および通気性を有し、かつ肌着に近い感触のシート材で形成されることが好ましく、この場合、尿などの排泄液を吸収体15へ透過するとともに、身体に直接接触しても不快感を与えない。
【００３０】
また、表面シート13の不透液シート17および裏面シート14は、例えばポリエチレン樹脂などの合成樹脂など、不透液性および通気性を有したシート材にて形成されることが好ましく、この場合、尿などの排泄液にて例えば下着などの他の衣類、あるいはシーツなどの汚れを防止する。
【００３１】
さらに、吸収体15は、例えばパルプを主とする材料であって、一部に高分子吸収体などの物質を含んだ材料にてシート状に形成され、尿などの排泄液を充分に吸収する。
【００３２】
そして、表面シート13および裏面シート14は、展開状態で、背側腰回り部18、股下回り部19、および腹側腰回り部20が吸収性物品体12の長手方向に順次一体的に形成されるとともに、長手方向に略沿った中心線にて線対称な略矩形状に形成されて、この股下回り部19の幅方向の両側縁には、略凹弧上に切り欠きされた脚回り部21が形成されている。
【００３３】
さらに、展開状態における吸収性物品体12の長手方向の一端側に、背側腰回り部18が形成され、他端側に腹側腰回り部20が形成されており、この展開状態から吸収性物品体12が適宜折り曲げられて、装着者の、腰回りの背部側に背側腰回り部18が位置し、腰回りの腹部側に腹側腰回り部20が位置し、脚回り部21の近傍に設けられた弾性体22により脚回り部21が装着者の脚回りに適合される。
【００３４】
また、股下回り部19が、吸収性物品体12の展開状態における長手方向の中間部に、背側腰回り部18から腹側腰回り部20にわたって連続して一体に形成され、この展開状態から吸収性物品体12が適宜折り曲げられて、装着者の股下に位置する部分となっており、吸収体15は、吸収性物品体12の長手方向に略沿った状態で、背側腰回り部18、腹側腰回り部20、および股下回り部19の略中央にわたって配設されている。
【００３５】
そして、背側腰回り部18の両側縁には、フック面部としての一方の面状ファスナ部23と間隔保持片24とを有する接合片25が設けられ、腹側腰回り部20には、一方の面状ファスナ部23と係脱自在な略矩形状のループ面部としての他方の面状ファスナ部26が設けられており、これら一方の面状ファスナ部23と他方の面状ファスナ部26とを係合することにより、吸収性物品体12がパンツ形状になる。
【００３６】
ここで、接合片25は、例えば織布、フィルム状シート等で形成され、１枚または複数枚が積層されて構成されているが、材質や構成等は限定されず、装着時の違和感を防止するために柔軟性のある材質や構成が好ましい。
【００３７】
図１は、図２における接合片25の断面を示すが、接合片25は、少なくとも一部が表面シート13と裏面シート14との間に挟着接合されるパネル状の基部27と、吸収性物品体12の幅方向において、パネル状の基部27の外側部から突出するように一体形成され、内側へ折り返し可能な延出部28と、この延出部28の先端縁側に位置し、この延出部28が折り返し状態で基部27と対向する位置に形成された摘み部29とから構成される。
【００３８】
なお、この実施の形態では、基部27の外側部から、吸収性物品体12の長手方向に間隔をおいて、２つの延出部28および摘み部29が突出するように形成されているが、延出部28および摘み部29は２つに限定されない。
【００３９】
また、延出部28が折り返し状態で、この延出部28の内面側には、基部27と対向する一方の面状ファスナ部23が設けられ、基部27は、一方の面状ファスナ部23が基部27上の対向する位置において仮止め可能となるように形成されており、延出部28を折り返し状態にして、一方の面状ファスナ部23と基部27とを係合させることで、延出部28および摘み部29を仮止めできる。
【００４０】
さらに、延出部28を展開状態にして、延出部28の一方の面状ファスナ部23と他方の面状ファスナ部26とを係合状態にすることで、吸収性物品体12はパンツ形状になる。
【００４１】
ここで、基部27の材質は限定されないが、例えば、フック面部として一方の面状ファスナ部23と係合可能な、不織布や面状ファスナのループ面部等により形成されるのが好ましい。
【００４２】
そして、延出部28が折り返し状態で、一方の面状ファスナ部23より先端縁側の摘み部29の内面側には間隔保持片24が設けられている。
【００４３】
また、図３に示されるように、延出部28が展開状態においては、基部27の外側部から延出部28および摘み部29が突出するように順次一体形成され、延出部28上には、一方の面状ファスナ部23が設けられ、この一方の面状ファスナ部23より先端縁側の摘み部29上に間隔保持片24が設けられている。
【００４４】
間隔保持片24の断面方向の高さは、特に限定されないが、表面シート13および一方の面状ファスナ部23より高く形成されると、延出部28が折り返し状態および他方の面状ファスナ部26と係合状態で、摘み部29と基部27および他方の面状ファスナ部26との間に確実に摘み部29を摘める間隔を設けることができるので好ましい。
【００４５】
また、間隔保持片24の材質は限定されないが、例えばポリウレタンやポリエチレン等のように、軽量で弾性のある素材が好ましく、さらに、装着時や仮止め時の操作性を悪化させないために、一方の面状ファスナ部23および他方の面状ファスナ部26と係合しないように、例えば、一方の面状ファスナ部23および他方の面状ファスナ部26と係合し難い素材を使用したり、間隔保持片24の表面をフィルム状に処理したりすると、接合片25の操作性が悪化せず好ましい。
【００４６】
また、間隔保持片24は、断面の形状が矩形状に限定されず、例えば図４（ａ）に示されるような三角形、図４（ｂ）に示されるような円形、図４（ｃ）に示されるような半円形等でもよい。
【００４７】
ここで、間隔保持片24の配設位置は、延出部28が折り返し状態で、摘み部29の内面側であれば限定されないが、摘み部29の先端縁に先端部31を設け、間隔保持片24を、先端部31と一方の面状ファスナ部23との間に配設すると、先端部31を摘むことで、摘み部29が摘み易くなり好ましい。
【００４８】
さらに、図５において、摘み部29の長手方向における先端部31の長さａは限定されないが、先端部31の長さａが間隔保持片24の断面方向の長さｂより長いと、先端部31が折れ曲がった際に、基部27および他方の面状ファスナ部26に垂れ下がる状態になってしまい、先端部31が摘み難くなるので、先端部の長さａは、間隔保持片24の長さｂより短いことが好ましい。
【００４９】
次に、上記第１の実施の形態の作用および効果を説明する。
【００５０】
使い捨て吸収性物品11の装着に際しては、吸収性物品体12の背側腰回り部18、股下回り部19、腹側腰回り部20をそれぞれ装着者の背側腰回り、股下回り、腹側腰回りに対応させ、背側腰回り部18の接合片25に設けられた一方の面状ファスナ部23と腹側腰回り部20に設けられた他方の面状ファスナ部26とを係合させて装着する。
【００５１】
ここで、装着前の吸収性物品体12は、延出部28が折り返し状態となり、基部27と一方の面状ファスナ部23が係合して仮止めされているので、一方の面状ファスナ部23を基部27から外し、他方の面状ファスナ部26に係合させて装着する。
【００５２】
この装着前の吸収性物品体12のように、延出部28が折り返し状態で仮止めされていると、摘み部29は、基部27に張り付くように位置するので、摘み部29が摘み難く、接合片25の操作性が悪くなってしまい、例えば握力の弱い装着者等には装着が困難である。
【００５３】
そこで、図６に示すように、延出部28が折り返し状態で、一方の面状ファスナ部23より先端縁側の摘み部29の内面側に間隔保持片24を配設することで、摘み部29と基部27との間に間隔を設けることができるので、摘み部29が摘み易く、基部27上に仮止めされた延出部28を容易に外すことができ、接合片25の操作性を向上できる。
【００５４】
また、延出部28が折り返し状態のみではなく、他方の面状ファスナ部26と係合状態においても同様であり、間隔保持片24により他方の面状ファスナ部26と摘み部29との間に間隔を設けることができ、接合片25の操作性を向上できる。
【００５５】
そして、間隔保持片24の断面方向の高さを、表面シート13および一方の面状ファスナ部23より高く形成することで、延出部28が折り返し状態および他方の面状ファスナ部26と係合状態で、摘み部29の断面方向の高さが、表面シート13および他方の面状ファスナ部26の断面方向の高さより高くなり、摘み部29と基部27、表面シート13および他方の面状ファスナ部26のいずれかとの間に確実に摘み部29を摘める間隔を設けることができるので、接合片25の操作性をより向上できる。
【００５６】
なお、間隔保持片24の断面方向の高さを表面シート13と一方の面状ファスナ部23との高さの和より高くすると、摘み部29と基部27、表面シート13および他方の面状ファスナ部26のいずれかとの間に、より確実に摘み部29を摘める間隔を設けることができ、接合片25の操作性をより向上できるので好ましい。
【００５７】
また、摘み部29の先端縁に先端部31を設け、間隔保持片24を、先端部31と一方の面状ファスナ部23との間に配設すると、先端部31を摘むことで、摘み部29を確実に摘むことができるので、接合片25の操作性を向上できる。
【００５８】
さらに、摘み部29の長手方向における先端部31の長さａを間隔保持片24の断面方向の長さｂより短くすることで、先端部31が折れ曲がった際に、基部27または、他方の面状ファスナ部26に先端部31が垂れ下がってしまうのを防止できるので、接合片25の操作性の悪化を防止できる。
【００５９】
そして、間隔保持片24を一方の面状ファスナ部23および他方の面状ファスナ部26と係合しないように形成することで、間隔保持片24と一方の面状ファスナ部23および他方の面状ファスナ部26とが係合することにより、摘み部29および先端部31が摘み難くなるのを防止できるので、接合片25の操作性の悪化を防止する。
【００６０】
次に、第２の実施の形態を図７および図８を参照して説明する。なお、上記の実施の形態と同様の構成および作用については、同一符号を付してその説明を省略する。
【００６１】
図７および図８に示されるように、吸収性物品体12には、２つの接合片25が設けられている。
【００６２】
この接合片25は、表面シート13と裏面シート14との間に、接合片25の基部27全体が挟着接合され、この基部27の先端縁側に延出部28、摘み部29がそれぞれ設けられており、これらの基部27、延出部28、摘み部29から帯状の接合片25を形成している。
【００６３】
なお、吸収性物品体12の長手方向に間隔をおいて、接合片25が２つ設けられているが、数は２つに限定されず、さらに、図１ないし図６に示す第１の実施の形態のように１つパネル状の基部27から突出するように延出部28、摘み部29を形成して接合片25を構成してもよい。
【００６４】
そして、延出部28が折り返し状態で仮止めされた状態では、一方の面状ファスナ部23は表面シート13上に係合し、間隔保持片24は摘み部29と表面シート13との間に位置することで、摘み部29と表面シート13との間の間隔を保持している。
【００６５】
このように、基部27全体が表面シート13と裏面シート14との間に接合されることで、接合片25の接合強度が良好になり好ましい。
【００６６】
さらに、表面シート13と裏面シート14との間に接合された基部27の面積を、延出部28と摘み部29との面積の和より大きくすることで、接合片25の接合強度を向上できる。
【００６７】
また、第１の実施の形態では、延出部28を折り返し状態にして仮止めすると、基部27上の摘み部29が対向する位置より吸収性物品体12の幅方向の内側に、表面シート13による凸部ができ、摘み部29および先端部31が摘み難くなる場合があるが、基部27全体を表面シート13と裏面シート14との間に接合することで、表面シート13上で延出部28を仮止めすることができ、表面シート13上の摘み部29が対向する位置より吸収性物品体12の幅方向の内側に凸部がなく、摘み部29および先端部31が摘み易いので、接合片25の操作性をより向上できる。
【００６８】
次に、第３の実施の形態を図９を参照して説明する。なお、上記の実施の形態と同様の構成および作用については、同一符号を付してその説明を省略する。
【００６９】
図９に示されるように、表面シート13と裏面シート14との間に、接合片25の基部27全体が接合され、この接合された基部27の面積は、延出部28と摘み部29とを加えた面積より小さくなるように形成されている。
【００７０】
このように、必要な接合強度を保てる範囲で、接合される基部27の面積を小さくすることで、材料を低減でき、さらに、表面シート13上の摘み部29が対向する位置より吸収性物品体12の幅方向の内側に凹凸がないので、摘み部29および先端部31がより摘み易くなり、接合片25の操作性をより向上できる。
【００７１】
次に、第４の実施の形態を図１０を参照して説明する。なお、上記の実施の形態と同様の構成および作用については、同一符号を付してその説明を省略する。
【００７２】
図１０に示されるように、間隔保持片24と一方の面状ファスナ部23とは離間されて配設され、間隔保持片24と一方の面状ファスナ部23との間に離間部32が設けられている。
【００７３】
そして、この離間部32には、延出部28が折り返し状態で、外面側の表面が凹むように形成された折曲部33が設けられている。
【００７４】
この折曲部33は、延出部28が折り返し状態および他方の面状ファスナ部26と係合状態で、離間部32の内面側、外面側のどちら側から形成してもよく、さらに内面側と外面側との両面側から形成してもよいが、内面側に折曲部33を形成すると、摘み部29が内面へ折れ曲がり、基部27および他方の面状ファスナ部26と摘み部29との間隔が小さくなり、間隔保持片24の間隔保持効果を低下させる可能性があるので、外面側に形成するのが好ましい。
【００７５】
さらに、折曲部33を形成する際に、延出部28が折り返し状態で、離間部32の外面側から内面側へ離間部32が突出するように形成すると、より摘み部29が外面側に折れ曲がり易くなるので好ましいが、外面側から内面側へ離間部32を突出させて形成することに限定されず、離間部32の表面のみを凹ませる程度に形成してもよい。
【００７６】
また、折曲部33は、延出部28の幅方向において、連続的な線状に形成しても、間欠的な線状に形成してもよく、間欠的な線状に形成する場合は、離間部32を断面方向に貫通させて形成してもよい。
【００７７】
そして、離間部32における折曲部33の形成方法は限定されず、例えば離間部32の表面を凹ませて形成する方法、離間部32の一部を切り欠くことで形成する方法、離間部32の一部を熱エンボスにより加工して形成する方法等で適宜形成できる。
【００７８】
このように、離間部32に折曲部33が設けられることで、接合片25の延出部28が折り返し状態および他方の面状ファスナ部26と係合状態で、離間部32が外側へ折れ曲がり、間隔保持片24による基部27および他方の面状ファスナ部26と摘み部29との間の間隔保持効果を向上させ、摘み部29が基部27に張り付くような状態になるのを防止できるので、接合片25の操作性の悪化を防止できる。
【００７９】
次に、第５の実施の形態を図１１を参照して説明する。なお、上記の実施の形態と同様の構成および作用については、同一符号を付してその説明を省略する。
【００８０】
図１１に示されるように、延出部28が折り返し状態および他方の面状ファスナ部26と係合状態で、摘み部29の断面方向の高さが、一方の面状ファスナ部23側から摘み部29の先端縁へ向かって高くなるように、間隔保持片24の断面方向の上部が傾斜して形成されている。
【００８１】
なお、図１１では、摘み部29の断面方向の高さが直線状に高くなるように形成されているが、摘み部29が反り返るように形成してもよい。
【００８２】
このように、摘み部29の断面方向の高さを、延出部28の先端縁側に向かって高くなるように間隔保持片24が形成されることで、摘み部29および先端部31がより摘み易くなり、接合片25の操作性がより向上する。
【００８３】
次に、第６の実施の形態を図１２を参照して説明する。なお、上記の実施の形態と同様の構成および作用については、同一符号を付してその説明を省略する。
【００８４】
図１２に示されるように、間隔保持片24と一方の面状ファスナ部23とは、離間して配設され、この間隔保持片24と一方の面状ファスナ部23との離間部32の一部は、延出部28が折り返し状態で、離間部32が対向する基部27に仮接合されている。
【００８５】
また、仮接合する位置は、間隔保持片24と一方の面状ファスナ部23との離間部32であれば限定されず、さらに、離間部32の一部は、使い捨て吸収性物品11の装着時まで仮接合されていればよいが、再接合可能としてもよい。
【００８６】
仮接合する方法は限定されず、例えば熱エンボス、熱融着、接着剤等で適宜選定できる。
【００８７】
使い捨て吸収性物品11の装着前の状態においては、延出部28が折り返し状態で、一方の面状ファスナ部23は、基部27に仮止め可能だが、例えばこの仮止めの強度が低い場合や、仮止めされていない摘み部32に予期しない力が加わってしまった場合等では、仮止めされた一方の面状ファスナ部23が基部27から外れてしまい、例えば接合片25が展開状態となってしまう場合や一方の面状ファスナ部23が基部27とは異なる部分に係合してしまう場合等がある。
【００８８】
特に、製造時に仮止めされた一方の面状ファスナ部23が基部27から外れてしまうと、製造不良となり、生産性を悪化させてしまう可能性がある。
【００８９】
そこで、間隔保持片24と一方の面状ファスナ部23との離間部32の一部が基部27に仮接合されることで、延出部28の折り返し状態を確実に維持できるので製造不良の発生を防止し、生産性の低下を防止できる。
【００９０】
さらに、離間部32の一部が基部27に仮接合されることで、延出部28の折り返し状態を確実に維持でき、間隔保持片24により摘み部29が摘み易い状態を維持できるので、一方の面状ファスナ部23が、基部27から外れてしまい、基部27とは異なる部分に係合することによる接合片25の操作性の悪化を防止できる。
【図面の簡単な説明】
【００９１】
【図１】本発明の第１の実施の形態の使い捨て吸収性物品における接合片の断面図である。
【図２】同上使い捨て吸収性物品の展開状態を示す一部を切り欠いた平面図である。
【図３】同上使い捨て吸収性物品における接合片の展開状態を示す平面図である。
【図４】（ａ）（ｂ）（ｃ）は、同上使い捨て吸収性物品の接合片における間隔保持片の形状の違いを示す断面図である。
【図５】同上使い捨て吸収性物品における接合片の断面図である。
【図６】同上使い捨て吸収性物品における接合片の断面図である。
【図７】本発明の第２の実施の形態の使い捨て吸収性物品における接合片の展開状態を示す平面図である。
【図８】同上使い捨て吸収性物品における接合片を示す断面図である。
【図９】本発明の第３の実施の形態の使い捨て吸収性物品における接合片の断面図である。
【図１０】本発明の第４の実施の形態の使い捨て吸収性物品における接合片の断面図である。
【図１１】本発明の第５の実施の形態の使い捨て吸収性物品における接合片の断面図である。
【図１２】本発明の第６の実施の形態の使い捨て吸収性物品における接合片の断面図である。
【符号の説明】
【００９２】
11    使い捨て吸収性物品
12    吸収性物品体
13    表面シート
14    裏面シート
15    吸収体
18    背側腰回り部
19    股下回り部
20    腹側腰回り部
23    一方の面状ファスナ部
24    間隔保持片
25    接合片
26    他方の面状ファスナ部
27    基部
28    延出部
29    摘み部
31    先端部
32    離間部
33    折曲部
【図１】
2008253680.tif 000003
【図２】
2008253680.tif 000004
【図３】
2008253680.tif 000005
【図４】
2008253680.tif 000006
【図５】
2008253680.tif 000007
【図６】
2008253680.tif 000008
【図７】
2008253680.tif 000009
【図８】
2008253680.tif 000010
【図９】
2008253680.tif 000011
【図１０】
2008253680.tif 000012
【図１１】
2008253680.tif 000013
【図１２】
2008253680.tif 000014